(57)【特許請求の範囲】
【請求項１】
上面が天板で閉じられ側面が側板で閉じられ下面が開口した筐体と、中央に空気吸込口が設けられ該空気吸込口の周囲に空気吹出口が設けられ前記筐体の前記下面に取り付けられる化粧パネルと、前記筐体の前記天板に取り付けられるモータと、該モータによって回転駆動される送風装置と、前記空気吸込口から吸い込まれる空気を前記送風装置にガイドするベルマウスと、前記送風装置によって前記空気吸込口から吸い込まれ前記空気吹出口に吹き出される途中の空気に対して冷媒との間で熱交換を行う熱交換器と、該熱交換器で生じた結露水を集めるドレンパンと、前記モータを含む各種電装品を制御する電装品箱と、を備えた天井埋込型空気調和機において、
前記ドレンパンの内周縁部の内周壁の上下方向に第１ケーブルガイド溝が形成され、該第１ケーブルガイド溝に前記電装品箱と前記モータとを接続するケーブルが嵌め込まれ、
前記ケーブルのうち、前記第１ケーブルガイド溝から前記モータの方向に伸びる部分に、互いに反対方向に連続して２度折り返して形成したトラップ部が形成され、該トラップ部は２度折返しの前記モータ側の折返し部分が２度折り返しの前記電装品箱側の折返し部分よりも前記モータから遠くなり、前記モータ側の折返し部分が前記ドレンパンの前記内周縁部の上面に係止され、
横板と縦板を有するＬ字形状のケーブル固定具が設けられ、
前記ケーブルのうち、前記モータ側の折返し部分から前記モータの方向に伸びる引出部の前記モータ側が、前記ケーブル固定具の前記横板に形成された第２ケーブルガイド溝によって前記筐体の前記天板の裏面に押し付けられ、前記引出部の前記モータ側と反対側が、前記ケーブル固定具の前記縦板に形成された第３ケーブルガイド溝によって前記熱交換器の近傍にガイドされていることを特徴とする天井埋込型空気調和機。
【発明の詳細な説明】
【技術分野】
【０００１】
本発明は、室内の天井に埋め込んで設置される天井埋込型空気調和機に関する。
【背景技術】
【０００２】
天井埋込型空気調和機は、一般的に、図５〜図７に示すように構成されている（例えば、特許文献１）。１０は板金製の略直方体形状の筐体であり、上面が天板１１で閉じられ側面が側板１２で閉じられ下面が開口している。この筐体１０は、内壁に断熱材２０が貼付され、側板１２の角部分１２ａの外側に取り付けられたフック３０が吊り金具によって天井の梁等に吊り下げられる。
【０００３】
この筐体１０の天板１１の裏面の中央にはモータ４０が取り付けられ、このモータ４０の出力軸４１に送付装置としてのターボファン５０が結合している。６０は下面部からみた形状が四角筒形状の熱交換器である。７０は発泡樹脂製のドレンパンであり、熱交換器６０で生じる結露水を回収溝７４に集める。このドレンパン７０の中央部分には、内周縁部７１が形成されることにより開口部７４が形成されている。
【０００４】
８０は中央部分に空気吸込口８１が設けられその空気吸込口８１の周囲の４か所に空気吹出口８２が設けられた化粧パネルである。９０は化粧パネル８０の空気吸込口８１から吸い込まれる空気をターボファン５０にガイドするベルマウスであり、ドレンパン７０の内周縁部７１の下面に肩部分９１が押し付けられるように組み込まれる。
【０００５】
１００は熱交換器６０を通過した空気を空気吹出口８２にガイドする送風ガイド、１１０は化粧パネル８０の空気吸込口８１の内側に配置される除塵用のフィルタである。１２０はモータ４０、風向弁２６０等を制御する電装品箱であり、ドレンパン７０の下面と化粧パネル８０の上面との間に組み込まれている。１３０は天井埋込型空気調和機が配置される室内天井板である。
【０００６】
このような天井埋込型空気調和機において、モータ４０と電装品箱１２０とを接続するケーブルは、電装品箱１２０からドレンパン７０の内周縁部７１に沿わせ、あるいは特許文献１に記載のようにドレンパン７０に形成した配線経路に沿わせ、さらに、筐体１０の天面１１の裏面を這わせて配線することになる。
【先行技術文献】
【特許文献】
【０００７】
【特許文献１】特開２０１０−１５９９１０号公報
【発明の概要】
【発明が解決しようとする課題】
【０００８】
しかし、そのケーブルに結露水が付着すると、その結露水がケーブルを伝わりドレンパンを迂回して空気調和機の外部、例えば室内に落下するおそれがあった。また、そのケーブルの配線作業では複数個所をクランプで固定する必要があり、作業性が悪かった。
【０００９】
本発明の目的は、電装品箱とモータを接続するケーブルを伝わって結露水が外部に落下することがないようにし、またそのケーブルの配線作業が容易となった天井埋込型空気調和機を提供することである。
【課題を解決するための手段】
【００１０】
上記目的を達成するために、請求項１にかかる発明は、上面が天板で閉じられ側面が側板で閉じられ下面が開口した筐体と、中央に空気吸込口が設けられ該空気吸込口の周囲に空気吹出口が設けられ前記筐体の前記下面に取り付けられる化粧パネルと、前記筐体の前記天板に取り付けられるモータと、該モータによって回転駆動される送風装置と、前記空気吸込口から吸い込まれる空気を前記送風装置にガイドするベルマウスと、前記送風装置によって前記空気吸込口から吸い込まれ前記空気吹出口に吹き出される途中の空気に対して冷媒との間で熱交換を行う熱交換器と、該熱交換器で生じた結露水を集めるドレンパンと、前記モータを含む各種電装品を制御する電装品箱と、を備えた天井埋込型空気調和機において、前記ドレンパンの内周縁部の内周壁の上下方向に第１ケーブルガイド溝が形成され、該第１ケーブルガイド溝に前記電装品箱と前記モータとを接続するケーブルが嵌め込まれ、前記ケーブルのうち、前記第１ケーブルガイド溝から前記モータの方向に伸びる部分に、互いに反対方向に連続して２度折り返して形成したトラップ部が形成され、該トラップ部は２度折返しの前記モータ側の折返し部分が２度折り返しの前記電装品箱側の折返し部分よりも前記モータから遠くなり、前記モータ側の折返し部分が前記ドレンパンの前記内周縁部の上面に係止され、横板と縦板を有するＬ字形状のケーブル固定具が設けられ、前記ケーブルのうち、前記モータ側の折返し部分から前記モータの方向に伸びる引出部の前記モータ側が、前記ケーブル固定具の前記横板に形成された第２ケーブルガイド溝によって前記筐体の前記天板の裏面に押し付けられ、前記引出部の前記モータ側と反対側が、前記ケーブル固定具の前記縦板に形成された第３ケーブルガイド溝によって前記熱交換器の近傍にガイドされていることを特徴とする。
【発明の効果】
【００１３】
本発明によれば、電装品箱とモータとを接続するケーブルが、ドレンパンの内周縁部の内周壁のケーブルガイド溝に嵌め込まれ、そのケーブルガイド溝からモータに向かって上方向に伸びる部分にトラップ部が形成され、そのトラップ部のモータ側の折返し部分がドレンパンの内周縁部の上面にクランプで係止されている。このため、ケーブルを伝わってきた結露水はドレンパンの回収溝に集められるので、その結露水が外部に落下することはない。また、筐体の天面の裏面を這うケーブルは、ケーブル固定具によってその天面に押し付けることができるので、そのケーブルの配線作業が容易となる。
【図面の簡単な説明】
【００１４】
【図１】本発明のＥＭＩフィルタ取付部分の周辺を表すために化粧パネルとベルマウスと電装品箱を取り外した状態の天井埋込型空気調和機の下面を上に向けた斜視図である。
【図２】図１におけるＥＭＩフィルタ取付部分の周辺の拡大説明図である。
【図３】（ａ）は本発明のＥＭＩフィルタとケーブルを取り付けたドレンパンの内周縁部の下面図、（ｂ）は本発明のＥＭＩフィルタとケーブルを取り外したドレンパンの内周縁部の下面図である。
【図４】本発明のＥＭＩフィルタの組み込み位置を示した天井埋込型空気調和機の化粧パネルを取り外した下面図である。
【図５】従来の天井埋込型空気調和機の下面からみた斜視図である。
【図６】従来の天井埋込型空気調和機の化粧パネルを取り外した下面図である。
【図７】図６のＶＩＩ−ＶＩＩ線断面図である。
【発明を実施するための形態】
【００１５】
図１〜図４に本発明の実施例の天井埋込型空気調和機の電装品箱１２０とモータ４０とを接続するケーブル２１０の配線部分を示す。発泡樹脂製のドレンパン７０の内側の開口部７４は内周縁部７１によって形成されており、その内周縁部７１の下面７１ａにおける電装品箱１２０の近傍（ただし、図１〜図３では電装品箱１２０は取り外している）には、フィルタ収納凹部７２が形成されている。そして、内周縁部７１の内周壁７１ｂにおいて、フィルタ収納凹部７２における電装品箱１２０から遠い側、つまりモータ４０に近い側には、上下方向に抜けるように切除して形成したケーブルガイド溝７３が設けられている。
【００１６】
図３の（ｂ）に示すように、フィルタ収納凹部７２における電装品箱１２０の側のドレンパン７０の内周縁部７１の下面７１ａには、ケーブル押付溝７２ａが形成され、ケーブルガイド溝７３の側の下面７１ａには、ケーブルガイド溝７３に連続するケーブル押付溝７２ｂに連続している。
【００１７】
２２０はＥＭＩフィルタであり、ケーブル２１０を挟んで装着し、断熱シート等の隙間シール材２５０と共にフィルタ収納凹部７２に嵌め込まれている。ＥＭＩフィルタ２２０がフィルタ収納凹部７２に嵌め込まれた状態では、ケーブル２１０の内の、ＥＭＩフィルタ２２０から電装品箱１２０の方向に伸びる引出部２１１はケーブル押付溝７２ａに嵌め込まれ、ＥＭＩフィルタ２２０からモータ４０の方向に伸びる引出部２１２はケーブル押付溝７２ｂに嵌め込まれる。
【００１８】
ケーブル２１０の引出部２１２は、さらに、ケーブルガイド溝７３に嵌め込まれてから上方向（図１、図２では下方向）に伸びる。そして、このケーブル２１０の引出部２１２は、図１、図２に示すように、ドレンパン７０の内周縁部７１の上面７１ｃで下方向（化粧板８０の方向）に折り返され、さらに上方向（天板１１の方向）に折り返される。
【００１９】
つまり、ケーブル２１０のモータ４０の方向に伸びる引出部２１２には、互いに反対方向に２度折り返されることでトラップ部２１３が形成され、そのトラップ部２１３からモータ４０に向かう側は、熱交換器６０の内側近傍に沿って上方のケーブル固定具２４０に伸びる。
【００２０】
ケーブル２１０のトラップ部２１３のモータ４０側の折返し部分２１３ａは、ドレンパン７０の内周縁部７１の上面７１ｃに設けられた係止具７１ｄに対して係合されたクランプ２３０によって、係止されている。
【００２１】
ケーブル固定具２４０は、筐体１０の天板１１にねじ止めされる横板２４１と、その横板２４１の熱交換器６０の内側に臨む側から下方向に伸びる縦板２４２とで構成され、側面視がＬ字形状である。そして、横板２４１の上面にはケーブル２１０をガイドするケーブルガイド溝２４１ａが形成され、縦板２４２の外側（熱交換器６０を向く側にもケーブル２１０をガイドするケーブルガイド溝２４２ａが形成されている。これにより、送風路に配置されるケーブル２１０が、横板２４１と縦板２４２によってガイドされ、そのケーブル２１０が垂れてターボファン５０と接触することが防止されている。
【００２２】
このようにＥＭＩフィルタ２２０は、ドレンパン７０の内周縁部７１の下面７１ａのフィルタ収納凹部７２に隙間シール材２５０と共に収納される。そして、ベルマウス９０を組み込むことで、そのベルマウス９０の上面の周囲方向に形成されている肩部９１（図７参照）がドレンパン７０の内周縁部７１の下面７１ａに押し付けられるので、そのときＥＭＩフィルタ２２０も同様に押し付けられる。このため、そのＥＭＩフィルタ２２０にガタツキが発生することはなく、運転中に異音が発生することを防止できる。
【００２３】
また、ケーブル２１０の、ＥＭＩフィルタ２２０の装着部分からモータ４０に向かう引出部２１２は、ドレンパン７０の内周縁部７１の内周壁７１ｂに形成されたケーブルガイド溝７３内に嵌め込まれるので、ケーブル２１０のこの引出部２１２について、送風による振動発生が防止されて異音が発生することがなく、送風抵抗も生じない。
【００２４】
また、ケーブルガイド溝７３からモータ４０に向かうケーブル２１０の引出部２１２は、ドレンパン７０の内周縁部７１の上面７１ｃに位置する部分においてクランプ２３０によって保持されたトラップ部２１３を有する。このため、ケーブル固定具２４０の側からケーブル２１０を伝わって流れてきた結露水は、トラップ部２１３の折返し部分２１３ａからＥＭＩフィルタ２２０に向かう方向は上方向となるのでその方向には流れることができず、ドレンパン７０の回収溝７４（図７参照）に落下して溜まる。よって、その結露水がドレンパン７０を迂回して下方へ落下すること、つまり室内に落下することが防止される。
【００２５】
また、モータ４０直近のケーブル２１０は、ケーブル固定具２４０によって、天板１１の裏面に沿って押し付けられるので、そのケーブル２１０が垂れてターボファン５０と接触することが防止されている。また、ケーブル２１０にぐらつきは発生せずその固定が確実になり、ターボファン５０の回転の際の振動の影響を受けることもない。また天板１１の裏面におけるケーブル２１０の取り付けにおいて多数のクリップを使用する必要がなくなり、作業が容易となる。
【符号の説明】
【００２６】
１０：筐体、１１：天板、１２：側板
２０：断熱材
３０：フック
４０：モータ、４１：出力軸
５０：ターボファン
６０：熱交換器
７０：ドレンパン、７１：内周縁部、７１ａ：下面、７１ｂ：内周壁、７１ｃ：上面、７１ｄ：係止具、７２：フィルタ収納凹部、７２ａ，７２ｂ：ケーブル押付溝、７３：ケーブルガイド溝、７４：開口部
８０：化粧パネル、８１：空気吸込口、８２：空気吹出口
９０：ベルマウス、９１：肩部
１００：送風ガイド
１１０：フィルタ
１２０：電装品箱
１３０：室内天井板
２１０：ケーブル、２１１，２１２：引出部、２１３：トラップ部、２１３ａ：折返し部分
２２０：ＥＭＩフィルタ
２３０：クランプ
２４０：ケーブル固定具、２４１：横板、２４１ａ：ケーブルガイド溝、２４２：縦板、２４２ａ：ケーブルガイド溝
２５０：隙間シール材
２６０：風向弁
【図１】
0006410211.tif 000002
【図２】
0006410211.tif 000003
【図３】
0006410211.tif 000004
【図４】
0006410211.tif 000005
【図５】
0006410211.tif 000006
【図６】
0006410211.tif 000007
【図７】
0006410211.tif 000008